(57)【特許請求の範囲】
【請求項１】
液晶ディスプレイを有するファインダー装置において、
上記液晶ディスプレイの光源となるバックライト及びバックライト駆動回路を含む発熱を伴う構成要素を密閉収納する密閉収納部材を備え、
上記液晶ディスプレイと上記発熱を伴う構成要素とを、内部密閉用透明窓により分離して上記密閉収納部材の内部に密閉収納したことを特徴とするファインダー装置。
【発明の詳細な説明】
【０００１】
【発明の属する技術分野】
本発明はファインダー装置に係わり、特に、カメラ一体型のＶＴＲに用いられる液晶ディスプレイ型ファインダー装置の内部構造に関するものである。
【０００２】
【従来の技術】
液晶ディスプレイ型ファインダー装置は、その構成部品である液晶ディスプレイ（ＴＦＴタイプ、ＳＴＮタイプなどがある）、ディスプレイ駆動回路、バックライト（平面ランプタイプ、直管ランプタイプ、ＬＥＤタイプなどがある）、バックライト駆動回路などを１つの筺体の中に収納して構成している。
【０００３】
図５は、同一筺体内に部品が入っている構造の一例を示す図であり、（ａ）はファインダーユニット、（ｂ）はファインダー本体、（ｄ）は接眼ユニットをそれぞれ示している。
【０００４】
また、図５において、３０はファインダー本体の筺体、３１は接眼ユニット、３２はディスプレイ、３３はバックライト、３４はバックライト駆動回路及びディスプレイ駆動回路が搭載されている基板、３５は内部密閉用窓となっており、このような組み合わせが従来のファインダー装置の構造である。図６は、カメラ一体型のＶＴＲの概略図であり、（ａ）は平面図、（ｂ）は側面図である。
【０００５】
【発明が解決しようとする課題】
上述したように、種々の構成部品を１つの筺体の中に一緒に収納すると、高熱を発生するバックライト、及びバックライト駆動回路やその部品の影響を液晶ディスプレイが受け、高温時に液晶ディスプレイの性能が劣化する場合があった。
【０００６】
また、高電圧回路部（バックライト、バックライト駆動回路）と低電圧回路であるディスプレイ駆動回路とを同一基板、もしくは複数の基板に渡って設けているために、高電圧ラインへの絶縁、隣接等の制約をうけるので、基板設計する上でパターンや基板外形等の自由度が制限されてしまうこともある。さらに、同一筺体の中に全ての部品が収納されていたので、筺体全体を耐熱グレードの材料を用いて構成する必要がある場合もある。
【０００７】
本発明は上述の課題にかんがみ、高温に弱い液晶ディスプレイ部を保護できるようにするとともに、基板設計の効率化を図ることができるようにし、さらに、耐熱グレード材料を使用して構成しなければならない筺体の範囲を少なくできるようにすることを目的とする。
【０００８】
【課題を解決するための手段】
本発明のファインダー装置は、液晶ディスプレイを有するファインダー装置において、上記液晶ディスプレイの光源となるバックライト及びバックライト駆動回路を含む発熱を伴う構成要素を密閉収納する密閉収納部材を備え、上記液晶ディスプレイと上記発熱を伴う構成要素とを、内部密閉用透明窓により分離して上記密閉収納部材の内部に密閉収納したことを特徴とする。
【００１６】
本発明は、上記技術手段よりなるので、液晶ディスプレイと、上記液晶ディスプレイの光源となるバックライト及びバックライト駆動回路を含む発熱を伴う構成要素とが内部密閉用透明窓により分離されて密閉収納部材の内部に密閉収納されることになり、バックライト駆動回路を含む発熱を伴う構成要素からの熱が液晶ディスプレイに伝播するのを有効に防止することが可能となり、高温に弱い液晶ディスプレイを高熱から保護することができるようになる。
【００１９】
【発明の実施の形態】
以下、本発明のファインダー装置及びファインダー装置の温度制御方法の実施形態を図面を参照して説明する。
（第１の実施形態）
図１（ａ）〜（ｄ）は、本発明のファインダー装置の第１の実施形態を示し、側断面図である。
【００２０】
図１において、（ａ）はファインダーユニット１００を示し、（ｂ）、（ｃ）及び（ｄ）はファインダーユニット１００の分割ユニットで、（ｂ）はバックライトユニット１０１を示し、（ｃ）はディスプレイユニット１０２を示し、（ｄ）は接眼ユニット１０３を示している。
【００２１】
また、図１（ａ）〜（ｄ）において、１はバックライトユニット１０１の筺体、２はディスプレイユニット１０２の筺体、３は接眼レンズユニット、３ａは接眼レンズ、４はバックライト、５はバックライト駆動回路及びディスプレイ駆動回路が搭載されている基板である。
【００２２】
７は内部密閉用透明窓、６及び９はバックライトユニット１０１とディスプレイユニット１０２との電気的接続を行う接点、８はディスプレイ、１０及び１１は内部密閉用窓となっており、このような組み合わせでディスプレイ部と発熱部であるバックライト等を分割したファインダー装置が構成されている。
【００２３】
（第２の実施形態）
図２は、本発明の第２の実施形態であるファインダー装置の側断面図であり、（ａ）はファインダーユニット２００、（ｂ）はバックライトユニット２０１、（ｃ）はディスプレイユニット２０２、（ｄ）は接眼ユニット２０３をそれぞれ示している。
【００２４】
また、図２において、１２はバックライトユニットの筺体、１３はバックライト駆動回路及び高電圧回路が搭載されている基板、１４及び２０はバックライトユニット２０１とディスプレイユニット２０２の電気的接続を行う接点、１５はバックライト、１６は内部密閉用窓、１７はディスプレイユニットの筺体である。また、１８はディスプレイ、１９はディスプレイ駆動回路及び低電圧回路が入っている基板、２１及び２２は内部密閉用透明窓、２３は接眼レンズユニット本体、２３ａは接眼レンズである。
【００２５】
本実施形態のファインダー装置においては、このような組み合わせで、ディスプレイと低電圧回路、バックライトと高電圧回路で分割されたファインダーユニットを構成している。
【００２６】
図３は、本発明をカメラ一体型ＶＴＲに適用した例を示す回路ブロック図であり、図４は図３中のＥＶＦブロックの詳細を説明する図である。
図３及び図４において、２１１はカメラの撮像部、２１２は撮像部２１１からのアナログ信号をデジタル信号に変換するＡ／Ｄ変換回路である。
【００２７】
２１３はＡ／Ｄ変換回路２１２によってＡ／Ｄ変換されたデジタル信号を処理するカメラ信号処理回路、２１４はカメラ信号処理回路２１３からのデジタル信号をアナログ信号に変換するＤ／Ａ変換回路、２１８はカメラ信号処理回路２１３からのデジタル信号を取り込んで様々な特殊効果に加工するデジタル特殊効果回路、２１７はカメラ信号処理回路２１３とデジタル特殊効果回路２１８を制御する第１のマイクロコンピューター（以下、マイコンと略す）である。
【００２８】
２１６はカメラ部の操作キーであり、第１のマイコン２１７がその情報を読み取る。２２０は第２のマイコンであり、第１のマイコン２１７と通信を行いながらＶＴＲ全体のシステムコントロールを主に行う。２１９はＶＴＲ部の操作キーで第２のマイコン２２０がその情報を読み取る。
【００２９】
２１５はビューファインダーであり、撮像部２１１で撮像した画像を不図示の観察者がモニタすることができるように設けられているものであり、第２のマイコン２２０の制御によって電源供給を受けている。２２２はＶＴＲのメカ部、２２１はＶＴＲメカ２２２を制御するために設けられた第３のマイコンであり、第２のマイコン２２０と通信を行っている。
【００３０】
また、２２３はレコーダ信号処理回路であり、Ｄ／Ａ変換回路２１４から出力されるアナログ信号を処理し、電磁変換ブロック２２４へ出力する。電磁変換ブロック２２４は、入力されたアナログ信号を電磁変換して記録媒体２２５（カセットテープ）に信号を記録する。記録媒体２２５は、ＶＴＲのメカ部２２２によって駆動される。
【００３１】
図４に示すように、ＥＶＦブロック２１５は、Ｄ／Ａ変換回路２１４から入力されるアナログの映像信号をデコーダ／ドライバＩＣ２２７によりＲ・Ｇ・Ｂ信号に変換し、液晶ディスプレイ２２９に入力する。
【００３２】
バックライト２３０は、バックライト駆動回路２３１によって駆動される。また、バックライト駆動回路２３１は第２のマイコン２２０の制御によって電源の切り換えが行われる。また、バックライト駆動回路２３１にはＴＧドライバＩＣ２２８から水平同期信号ＨＤが与えられており、上記水平同期信号ＨＤに基づいて高電圧パルスを発生してバックライト２３０に印加することで、上記バックライト２３０が放電を開始する。
【００３３】
次に、本発明の第３の実施形態を説明する。
まず、最初に図７に基づいて従来のカメラ一体型ＶＴＲについて説明する。従来のカメラ一体型ＶＴＲは、被写体を撮影するとともに、その映像信号を生成するカメラブロック部５０１と、カメラブロック部５０１から供給された映像信号を記録／再生するレコーダブロック部５０２と、レコーダブロック部５０２を介してカメラブロック部５０１から供給される映像信号に基づいて画像を表示する表示装置ブロック部５０３と、カメラブロック部５０１、レコーダブロック部５０２及び表示装置ブロック部５０３の動作制御を行うシステムコントロールマイコンブロック部５０４とから構成されている。
【００３４】
上記各部分の構成を詳述すると、カメラブロック部５０１は、レンズ５１１と、オートアイリス５１２と、電荷結合素子からなる撮像素子５１３と、Ｓ／Ｈ（Sample Hold)回路５１４と、ＡＧＣ（Automatic Gain Control) 回路５１５と、カメラ信号処理回路５１６とを備えている。
【００３５】
撮像素子５１３は、レンズ５１１及びオートアイリス５１２を介して被写体の撮像情報を取り込んで光電変換し、これをＳ／Ｈ回路５１４へ供給する。
Ｓ／Ｈ回路５１４は、撮像素子５１３から出力される信号を順次サンプリングしてＡＧＣ回路５１５へ供給する。
【００３６】
ＡＧＣ回路５１５は、Ｓ／Ｈ回路５１４から出力される撮像信号の利得調整を行いカメラ信号処理回路５１６へ供給する。カメラ信号処理回路５１６は、入力される撮像に基づいて映像信号を生成し、レコーダブロック部５０２のＶＴＲ信号処理回路５２１（後述）へ供給する。
【００３７】
レコーダブロック部５０２は、ＶＴＲ（Video Tape Recorder)信号処理回路５２１と、記録再生部５２２とを備えている。ＶＴＲ信号処理回路５２１は、カメラブロック部５０１のカメラ信号処理５１６から供給された映像信号のＶＴＲ信号処理を行い、処理した信号を記録再生部５２２と表示装置ブロック部５０３のデコーダ／ドライバＩＣ部５３３（後述）とへ供給する。
【００３８】
記録再生部５２２は、映像信号を記録媒体に記録する記録動作や記録媒体に記録されている映像信号を再生する動作を行う。
表示装置ブロック部５０３は、液晶ディスプレイ（ＬＣＤ：Liquid Crystal Display) ５３１と、バックライトランプ５３２と、デコーダ／ドライバＩＣ部５３３と、ＴＧ／ドライバＩＣ部５３４と、液晶ディスプレイ５３１と、バックライトランプ５３２とを駆動するための駆動電源ブロック５３５とを備えている。
【００３９】
液晶ディスプレイ５３１は、カメラブロック部５０１からレコーダブロック部５０２を介して供給された映像信号を表示する。なお、上記液晶ディスプレイ５３１の表示領域は、通常の画面モード（４：３）とワイド画面（１６：９）の何れにも対応可能に構成されている。バックライトランプ５３２は、液晶ディスプレイ５３１を照明する。デコーダ／ドライバＩＣ部５３３は、バックライトランプ５３２から供給される信号のデコード動作を行う。ＴＧ／ドライバＩＣ部５３４は、液晶ディスプレイ５３１、バックライトランプ５３２を駆動制御する。
【００４０】
システムコントロールマイコンブロック部５０４は、カメラブロック部５０１、レコーダブロック部５０２、動作制御を行うものであり、信号システム制御部４１を備えている。
【００４１】
図８は従来のファインダー装置内の温度上昇と時間経過について示すグラフである。
図８から明らかなように、ファインダ内の温度上昇は電源投入から３０分位の間は急激に温度上昇し、その後も緩やかではあるものの上昇して２時間程度経過すると６０〜７０℃位に達する。
【００４２】
このような不都合を解決するために、本実施形態においては、以下のようにして温度制御を行っている。
まず、図９に基づいて、本実施形態に係わるカメラ一体型ＶＴＲの構成を説明する。
本実施形態のカメラ一体型ＶＴＲは、被写体を撮影するとともにその映像信号を生成するカメラブロック部５０１と、カメラブロック部５０１から供給された映像信号を記録／再生するレコーダブロック部５０２と、カメラブロック部５０１からレコーダブロック部５０２を介して供給された映像信号に基づいた画像を表示する表示装置ブロック部５０３と、カメラブロック部５０１、レコーダブロック部５０２及び表示装置ブロック部５０３の動作制御を行うシステムコントロールマイコンブロック部５０４とから構成されている。
【００４３】
これらの各部５０１〜５０４の構成を詳述すると、カメラブロック部５０１は、レンズ５１１と、オートアイリス５１２と、電荷結合素子からなる撮像素子５１３と、Ｓ／Ｈ（Sample Hold ）回路５１４と、ＡＧＣ（Automatic Gain Control) 回路５１５と、カメラ信号処理回路５１６とを備えている。
【００４４】
上記撮像素子５１３は、レンズ５１１およびオートアイリス５１２を介して被写体の撮像情報を取り込んで光電変換し、これをＳ／Ｈ回路５１４へ供給する。Ｓ／Ｈ回路５１４は、撮像素子５１３から出力される撮像信号を順次サンプリングしてＡＧＣ回路５１５へ供給する。
【００４５】
ＡＧＣ回路５１５は、Ｓ／Ｈ回路５１４から出力される撮像信号の利得調整を行い、カメラ信号処理回路５１６へ供給する。
カメラ信号処理回路５１６は、入力された撮像信号に基づいて映像信号を生成し、レコーダブロック部５０２に設けられているＶＴＲ信号処理回路５２１（後述）へ供給する。
【００４６】
レコーダブロック部５０２は、ＶＴＲ（Video Tape Recorder)信号処理回路５２１と、記録再生部５２２とを備えている。
ＶＴＲ信号処理回路５２１は、カメラブロック部５０１のカメラ信号処理５１６から供給された映像信号を記録媒体（ビデオテープ）に記録するためのＶＴＲ信号処理を行い、記録再生部５２２と表示装置ブロック部５０３のデコーダ／ドライバＩＣ部５３３（後述する）へと供給する。
【００４７】
記録再生部５２２は、ＶＴＲ信号処理回路５２１から供給される映像信号を記録媒体に記録する記録動作や、記録媒体に記録した映像信号を再生する再生動作を行う。
【００４８】
表示装置ブロック部５０３は、液晶ディスプレイ（ＬＣＤ：Liquid Crystal Display) ５３１と、バックライトランプ５３２と、デコーダ／ドライバＩＣ部５３３と、ＴＧ／ドライバＩＣ部５３４と、液晶ディスプレイ５３１及びバックライトランプ５３２を駆動するための駆動電源ブロック５３５とを備えている。
【００４９】
また、システムコントロールマイコンブロック部５０４は、カメラブロック部５０１、レコーダブロック部５０２、表示装置ブロック部５０３の動作制御を行うものであり、信号システム制御回路５４１、立ち上げ時間制御回路５４２、及び記憶媒体５４３を備えている。
【００５０】
液晶ディスプレイ５３１は、カメラブロック部５０１からレコーダブロック部５０２を介して供給された映像信号を表示する。なお、液晶ディスプレイ５３１の表示領域は、通常の画面モード（４：３）とワイド画面（１６：９）の何れにも対応可能である。
【００５１】
バックライトランプ５３２は、液晶ディスプレイ５３１を照明する。デコーダ／ドライバＩＣ部５３３は、デコード動作を行う。ＴＧ／ドライバＩＣ部５３４は、液晶ディスプレイ５３１、バックライトランプ５３２を駆動制御する。
【００５２】
図１０は、液晶ディスプレイ５３１及びバックライトランプ５３２と、駆動電源ブロック５３５とを隔離して配置した構成を示す図である。また、図１１は、本実施形態のフローチャートを示す図であり、図１２は本実施形態のファインダ内の温度上昇と時間経過について示すグラフである。
【００５３】
次に、本実施形態に係わるカメラ一体型ＶＴＲにより被写体を撮影した場合の温度制御動作について説明する。
撮影者がカメラ一体型ＶＴＲにより被写体を撮影すると、カメラブロック部５０１のカメラ信号処理回路５１６で映像信号が生成され、それがレコーダブロック部５０２の記録再生部５２２に与えられて映像信号が記録されるとともに、表示装置ブロック部５０３の液晶ディスプレイ５３１に与えられて映像信号に基づいた画像が表示される。
【００５４】
このような動作が行われるに際し、電源が投入されると、表示装置ブロック部５０３の液晶ディスプレイ５３１及びバックライトランプ５３２の駆動電源ブロック５３５が駆動し、バックライトランプ５３２と駆動電源ブロック５３５が発熱する。
【００５５】
本実施形態においては、システムコントロールマイコンブロック部５０４により電源投入時間、または録画開始時間を割り出してバックライトの駆動電源をコントロールすることにより、バックライトの発熱温度を制御している。ところで、ファインダ内の温度上昇は電源投入から３０分間に急激に温度上昇し、その後は緩やかに上昇して行く。
【００５６】
そこで、本実施形態においては、電源投入から３０分の時間経過を検出しバックライトランプ５３２の駆動電圧を下げることにより、バックライトランプ５３２の温度上昇を制御する。この結果、図１２に示すように、各デバイスに対して影響がある温度５５℃以下に押さえることができ、性能の低下や変化率を改善することができる。
【００５７】
次に、図１１のフローチャートに基づいて本実施形態のファインダー装置の動作を説明する。
まず、ステップＳ１１で電源が投入される。次に、ステップＳ１２に進んでシステムコントロールマイコンブロック部５０４でテープカウンタが動作されているか否かを検出して録画開始を判断するようにしている。
【００５８】
ステップＳ１２の判断の結果、テープカウンタが動作されていたなら録画が開始されているのでステップＳ１３に進む。ステップＳ１３では、システムコントロールマイコンブロック部５０４により録画開始時間を検出する。そして、検出した結果に基づいて、予め設定された時間経過を経過したか否かを判断し、上記設定された時間が経過したならば、ステップＳ１５に進む。
【００５９】
ステップＳ１５においては、システムコントロールマイコンブロック部５０４からの制御信号により、バックライトランプ５３２を駆動している駆動電源ブロック５３５の電源を制御し、バックライトランプ５３２の温度上昇を防止するようにする。
【００６０】
一方、ステップＳ１２の判断の結果、テープカウンタが動作していないことにより、録画が開始されていないと判断したら、ステップＳ１４に進み、システムコントロールマイコンブロック部５０４により電源投入時からの時間経過を判断する。そして、電源を投入してからの経過時間が予め設定されている時間となったらステップＳ１５に進む。
【００６１】
ステップＳ１５においては、上述したように、バックライトランプ５３２を駆動している駆動電源ブロック５３５の電源を制御し、バックライトランプ５３２の温度上昇を防止する。
【００６２】
上述したように、本実施形態では本体の電源投入、または録画開始時間をシステムコントロールマイコンブロック部５０４により検出し、ビューファインダ内の温度上昇を時間制御することで、発熱要素であるバックライトランプ５３２の駆動電源の制御を行うようにしている。
【００６３】
これにより、密閉状態のファインダ内の温度上昇による液晶ディスプレイ５３１の性能が低下して、例えばコントラストの低下、焼き付きが発生しやすくなるなどの不具合を解消することができる。また、バックライトランプ５３２においても、ランプ内の蛍光体の材質特性が変化することにより輝度、色温度が変化する不具合を解消することができる。
【００６４】
また、上述したように、バックライトランプと、電源ブロックとを隔離することで、発熱要素を分散することができるので、温度上昇を抑えることができ、液晶ディスプレイの性能、バックライトランプの特性低下などの不具合を解消することができる。
【００６５】
上述したように本実施形態によれば、表示装置ブロック部５０３の液晶ディスプレイ５３１及びバックライトランプ５３２を駆動する駆動電源ブロック５３５を電源投入時間から、または録画開始時間（テープカウンタ）からビューファインダ内の温度状態が高くなる時間を検出し、駆動電圧を制御するようにしたので、液晶ディスプレイ５３１及びバックライトランプ５３２の特性低下を防止することができる。
【００６６】
また、本実施形態の形態の変形例によれば、表示装置ブロック部５０３のバックライトランプ５３２と、電源ブロックとを隔離することで、発熱要素を分散するようにしたので、ビューファインダである液晶ディスプレイ５３１とバックライトランプ５３２の特性低下を防止することができる。
【００６７】
（本発明の他の実施形態）
本発明は複数の機器（例えば、ホストコンピュータ、インタフェース機器、リーダ、プリンタ等）から構成されるシステムに適用しても１つの機器からなる装置に適用しても良い。
【００６８】
また、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００６９】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００７０】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００７１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００７２】
【発明の効果】
本発明は上述したように、本発明によれば、液晶ディスプレイを有するファインダー装置において、上記液晶ディスプレイの光源となるバックライト及びバックライト駆動回路を含む発熱を伴う構成要素を密閉収納する密閉収納部材を備え、上記液晶ディスプレイと上記発熱を伴う構成要素とを内部密閉用透明窓により分離して上記密閉収納部材の内部に密閉収納するようにしたので、高温時に性能が劣化する液晶ディスプレイに高熱が加えられないように保護することができる。
【図面の簡単な説明】
【図１】本発明の第１の実施形態に係わるファインダー装置を説明する図である。
【図２】本発明の第２の実施形態に係わるファインダー装置を説明する図である。
【図３】本発明をカメラ一体型ＶＴＲに適用した例を示す回路ブロック図である。
【図４】図３中のＥＶＦブロックの詳細を説明する図である。
【図５】従来例を示し、同一筺体内に部品が入っている構造の一例を示す図である。
【図６】カメラ一体型のＶＴＲの外観の概略構成を示す図である。
【図７】従来のカメラ一体型ＶＴＲに係わるカメラ一体型ＶＴＲの構成を示すブロック図である。
【図８】従来のファインダー装置内の温度上昇と時間経過との関係について示すグラフである。
【図９】本実施形態に係わるカメラ一体型ＶＴＲの構成を示すブロック図である。
【図１０】液晶ディスプレイ及びバックライトランプと、駆動電源ブロックとを隔離して配置した構成を示す図である。
【図１１】本実施形態のファインダー装置の動作を示すフローチャートである。
【図１２】本実施形態のファインダー装置のファインダ内の温度上昇と時間経過との関係について示すグラフである。
【符号の説明】
１００  ファインダーユニット
１０１  バックライトユニット
１０２  ディスプレイユニット
１０３  接眼ユニット
５０１  カメラブロック部
５０２  レコーダブロック部
５０３  表示装置ブロック部
５０４  システムコントロールマイコンブロック部
５３１  液晶ディスプレイ
５３４  ＴＧ／ドライバＩＣ部
５３５  駆動電源ブロック
【図１】
0003762010.tif 000002
【図２】
0003762010.tif 000003
【図３】
0003762010.tif 000004
【図４】
0003762010.tif 000005
【図５】
0003762010.tif 000006
【図６】
0003762010.tif 000007
【図７】
0003762010.tif 000008
【図８】
0003762010.tif 000009
【図９】
0003762010.tif 000010
【図１０】
0003762010.tif 000011
【図１１】
0003762010.tif 000012
【図１２】
0003762010.tif 000013